(57)【特許請求の範囲】
【請求項１】
画像を表示する表示パネルと、
第１接地パターンを含む第１パターン構造と、第１配線パターンと該第１配線パターンと電気的に絶縁された第２接地パターンとを含み前記第１パターン構造の上部に形成される第２パターン構造と、第３接地パターンと前記第３接地パターンと電気的に絶縁された第２配線パターンとを含み前記第２パターン構造の上部に形成される第３パターン構造と、第４接地パターン及び前記第４接地パターンと電気的に絶縁された第３配線パターンを含み、前記第３パターン構造上に形成される第４パターン構造とを有して前記表示パネルを制御する印刷回路基板とを具備し、
前記第１配線パターンは前記第１接地パターンと前記第３接地パターンとの間に形成配置され、前記第２配線パターンは前記第２接地パターンと前記第４接地パターンとの間に形成配置され、
前記第１配線パターン、前記第２配線パターン及び前記第３配線パターンは皆お互いに重畳しないことを特徴とする表示装置。
【請求項２】
前記印刷回路基板は、前記第１パターン構造と第２パターン構造との間に配置される第１絶縁層と、前記第２パターン構造と第３パターン構造との間に配置される第２絶縁層と、前記第３パターン構造と第４パターン構造との間に配置される第３絶縁層とを更に含むことを特徴とする請求項１に記載の表示装置。
【請求項３】
前記印刷回路基板は、前記第１配線パターン及び第２配線パターンと電気的に接続され、前記第１配線パターンを通じて伝送された第１差動信号を受信して前記第２配線パターンに第２差動信号を供給する制御部と、
前記制御部によって制御されガンマ基準電圧を生成するガンマ電圧生成部とを更に含むことを特徴とする請求項２に記載の表示装置。
【請求項４】
前記第３配線パターンは、前記ガンマ電圧発生部によって発生したガンマ電圧を伝送することを特徴とする請求項３に記載の表示装置。
【請求項５】
第１絶縁基板の下面上に第１接地パターンを含む第１パターン構造を形成する段階と、
前記下面に対向する前記第１絶縁基板の上面上に前記第１接地パターンと重畳する第１配線パターンと該第１配線パターンと電気的に絶縁される第２接地パターンとを含む第２パターン構造を形成する段階と、
前記第２パターン構造上に第２絶縁基板を配置する段階と、
前記第２絶縁基板上に前記第２接地パターンと重畳する第２配線パターンと、前記第２配線パターンと電気的に絶縁され前記第１配線パターンと重畳する第３接地パターンとを含む第３パターン構造を形成する段階と、
前記第３パターン構造上に第３絶縁基板を配置する段階と、
前記第３絶縁基板上に前記第２配線パターンと重畳する第４接地パターン及び前記第４接地パターンと電気的に絶縁された第３配線パターンを含む第４パターン構造を形成する段階とを有し、
前記第１配線パターン、前記第２配線パターン及び前記第３配線パターンは皆お互いに重畳しないを特徴とする印刷回路基板の製造方法。
【請求項６】
第１絶縁基板の下面上に第１接地パターンを含む第１パターン構造を形成する段階と、
前記第１絶縁基板の上面上に前記第１接地パターンと重畳する第１配線パターンと該第１配線パターンと電気的に絶縁される第２接地パターンとを含む第２パターン構造を形成する段階と、
第２絶縁基板の上に第２配線パターン及び第３接地パターンを含む第３パターン構造を形成する段階と、
第３絶縁基板の上に第４接地パターン及び前記第４接地パターンと電気的に絶縁された第３配線パターンを含む第４パターン構造を形成する段階と、
前記第２絶縁基板が前記第２パターン構造と第３パターン構造との間に挟まれ、前記第２配線パターンが前記第２接地パターンと重畳し、前記第３接地パターンが前記第１配線パターンと重畳するように前記第２絶縁基板を前記第２パターン構造上に配置する段階と、
前記第３絶縁基板が前記第３パターン構造と第４パターン構造との間に挟まれ、前記第４接地パターンが前記第２配線パターンと重畳するように前記第３絶縁基板を前記第３パターン構造上に配置する段階とを有し、
前記第１配線パターン、前記第２配線パターン及び前記第３配線パターンは皆お互いに重畳しないことを特徴とする印刷回路基板の製造方法。
【発明の詳細な説明】
【技術分野】
【０００１】
本発明は、印刷回路基板を具備する表示装置及び印刷回路基板の製造方法に関し、特
に、ノイズを減少させることができる印刷回路基板を具備する表示装置及び印刷回路基板
の製造方法に関する。
【背景技術】
【０００２】
一般的に、印刷回路基板上には多数の部品が実装され、部品間の信号伝送のために配線が形成される。電子技術の発達に従い、配線を通じて高速にデータの信号伝送が行われ、実装される部品も高速に応答するように開発されている。
【０００３】
データが伝送される各配線周囲には電流の流れによって誘導される電磁場が形成され、このような電磁場は隣接した配線を通じて伝送される信号に影響を及ぼす。その結果、部品の正常的な動作を妨害するＥＭＩ（Ｅｌｅｃｔｒｏｍａｇｎｅｔｉｃ  Ｉｎｔｅｒｆｅｒｅｎｃｅ）現象が誘発される。特に、部品の高速動作のための高周波信号が配線を通じて伝送される場合、ＥＭＩ現象はより深化する。
【０００４】
一方、高画質、大画面の要求が大きくなっている液晶表示装置の場合、伝送されるデータ信号やコントロール信号の周波数が増加している傾向にあるので、それにより、電圧がスウィング（ｓｗｉｎｇ）される幅が大きくなって、ＥＭＩ現象が激しく発生しうる。特に、ノートパソコン、ＰＣ等で無線広帯域通信網（ＷＷＡＮ）に接続する時、ＥＭＩ現象によってＷＷＡＮを通過して送受信される信号にノイズが発生するという問題点が発生する。
【発明の開示】
【発明が解決しようとする課題】
【０００５】
そこで、本発明は上記従来の表示装置における問題点に鑑みてなされたものであって、
本発明の目的は、ノイズを減少させることができる印刷回路基板を有する表示装置を提供
することにある。
【０００６】
又、本発明の他の目的は、上記印刷回路基板の製造方法を提供することにある。
【課題を解決するための手段】
【００１０】
上記目的を達成するためになされた本発明による表示装置は、画像を表示する表示パネルと、第１接地パターンを含む第１パターン構造と、第１配線パターンと該第１配線パターンと電気的に絶縁された第２接地パターンとを含み前記第１パターン構造の上部に形成される第２パターン構造と、第３接地パターンと前記第３接地パターンと電気的に絶縁された第２配線パターンとを含み前記第２パターン構造の上部に形成される第３パターン構造と、第４接地パターン及び前記第４接地パターンと電気的に絶縁された第３配線パターンを含み、前記第３パターン構造上に形成される第４パターン構造とを有して前記表示パネルを制御する印刷回路基板とを具備し、前記第１配線パターンは前記第１接地パターンと前記第３接地パターンとの間に形成配置され、前記第２配線パターンは前記第２接地パターンと前記第４接地パターンとの間に形成配置され、前記第１配線パターン、前記第２配線パターン及び前記第３配線パターンは皆お互いに重畳しないことを特徴とする。
【００１１】
上記目的を達成するためになされた本発明による印刷回路基板の製造方法は、第１絶縁基板の下面上に第１接地パターンを含む第１パターン構造を形成する段階と、前記下面に対向する前記第１絶縁基板の上面上に前記第１接地パターンと重畳する第１配線パターンと該第１配線パターンと電気的に絶縁される第２接地パターンとを含む第２パターン構造を形成する段階と、前記第２パターン構造上に第２絶縁基板を配置する段階と、前記第２絶縁基板上に前記第２接地パターンと重畳する第２配線パターンと、前記第２配線パターンと電気的に絶縁され前記第１配線パターンと重畳する第３接地パターンとを含む第３パターン構造を形成する段階と、前記第３パターン構造上に第３絶縁基板を配置する段階と、前記第３絶縁基板上に前記第２配線パターンと重畳する第４接地パターン及び前記第４接地パターンと電気的に絶縁された第３配線パターンを含む第４パターン構造を形成する段階とを有し、前記第１配線パターン、前記第２配線パターン及び前記第３配線パターンは皆お互いに重畳しないを特徴とする。
【００１２】
上記目的を達成するためになされた本発明による印刷回路基板の製造方法は、第１絶縁基板の下面上に第１接地パターンを含む第１パターン構造を形成する段階と、前記第１絶縁基板の上面上に前記第１接地パターンと重畳する第１配線パターンと該第１配線パターンと電気的に絶縁される第２接地パターンとを含む第２パターン構造を形成する段階と、第２絶縁基板の上に第２配線パターン及び第３接地パターンを含む第３パターン構造を形成する段階と、第３絶縁基板の上に第４接地パターン及び前記第４接地パターンと電気的に絶縁された第３配線パターンを含む第４パターン構造を形成する段階と、前記第２絶縁基板が前記第２パターン構造と第３パターン構造との間に挟まれ、前記第２配線パターンが前記第２接地パターンと重畳し、前記第３接地パターンが前記第１配線パターンと重畳するように前記第２絶縁基板を前記第２パターン構造上に配置する段階と、前記第３絶縁基板が前記第３パターン構造と第４パターン構造との間に挟まれ、前記第４接地パターンが前記第２配線パターンと重畳するように前記第３絶縁基板を前記第３パターン構造上に配置する段階とを有し、前記第１配線パターン、前記第２配線パターン及び前記第３配線パターンは皆お互いに重畳しないことを特徴とする。
【発明の効果】
【００１３】
本発明に係る印刷回路基板を具備する表示装置及び印刷回路基板の製造方法によれば、信号配線パターンを外郭層ではない内部層に形成し、信号配線パターンの上部及び下部に接地パターンを形成することにより、ＥＭＩ現象によるノイズを減少させることができるという効果がある。
【００１４】
又、制御部の出力配線パターンとガンマ配線パターンを重ならないようにしてノイズをより減少させることができるという効果がある。
【発明を実施するための最良の形態】
【００１５】
次に、本発明に係る印刷回路基板を具備する表示装置及び印刷回路基板の製造方法を
実施するための最良の形態の具体例を、図面を参照しながら説明する。
【００１６】
図１は、従来技術による比較例としての印刷回路基板の分解斜視図である。
図１を参照すると、従来技術による比較例としての印刷回路基板は、第１パターン構造１０、第２パターン構造２０、第３パターン構造３０、及び第４パターン構造４０を含む。
【００１７】
第１パターン構造１０は、ＬＶＤＳ（Ｌｏｗ  Ｖｏｌｔａｇｅ  Ｄｉｆｆｅｒｅｎｔｉａｌ  Ｓｉｇｎａｌ）ラインパターン１１、第１ＲＳＤＳ（Ｒｅｄｕｃｅｄ  Ｓｗｉｎｇ  Ｄｉｆｆｅｒｅｎｔｉａｌ  Ｓｉｇｎａｌ）ラインパターン１３を含む。第２パターン構造２０は接地パターン２１を含む。第３パターン構造３０は、ガンマラインパターン３１を含む。第４パターン構造４０は、第２ＲＳＤＳラインパターン４１を含む。
【００１８】
第２パターン構造２０の接地パターン２１は第２パターン構造２０の上面全面に対して形成配置され、第３パターン構造３０のガンマラインパターン３１は、印刷回路基板を組み立てた時、第４パターン構造４０の第２ＲＳＤＳラインパターン４１と部分的に重なる（重畳する；ｏｖｅｒｌａｐ）。
【００１９】
図１に示してはいないが、印刷回路基板は、制御部及びガンマ電圧発生部を含む。外部グラフィック装置（図示せず）から印刷回路基板に印加された画像信号は、ＬＶＤＳラインパターン１１を通じて制御部に伝送され、制御部から印加された制御信号は第１及び第２ＲＳＤＳラインパターン１３、４１を通じて表示パネル（図示せず）に印加される。ガンマ電圧発生部は、制御部によって制御されガンマ電圧を生成し、ガンマ電圧発生部によって生成されたガンマ電圧はガンマラインパターン３１を通じて表示パネルに印加される。
【００２０】
印刷回路基板の第１パターン構造１０は、外部グラフィック装置から印加される画像信号が伝送されるＬＶＤＳラインパターン１１及び制御部から生成された制御信号が伝送される第１ＲＳＤＳラインパターン１３を含んでいるため、これらのラインパターン間に電磁波干渉（ＥＭＩ）が発生することがありうる。
さらに、ＬＶＤＳラインパターン１１、第１ＲＳＤＳラインパターン１３、及び第２ＲＳＤＳラインパターン４１は、印刷回路基板の最上部層及び最下部層に形成され、これらのラインパターンから発生した電磁波は、他の構成要素に多くの影響を及ぼすことがありうる。
【００２１】
又、第３パターン構造３０のガンマラインパターン３１は、第４パターン構造４０の第２ＲＳＤＳラインパターン４１と部分的に重なって、これらの間の電磁波干渉が発生しうる。
結果として、上記従来技術による比較例としての印刷回路基板は、かなりのノイズを発生することがありうる。
【００２２】
図２は、本発明の一実施形態による印刷回路基板の分解斜視図であり、図３は、図２のＩ−Ｉ’線に沿って切断した断面図であり、図４は、本発明の一実施形態による印刷回路基板のブロック図である。
【００２３】
図２〜図４を参照すると、本発明の一実施形態による印刷回路基板１００は、第１パターン構造１１０、第２パターン構造１２０、第３パターン構造１３０、及び第４パターン構造１４０を含む。第１〜第４パターン構造１１０、１２０、１３０、１４０は、各々電導性物質からなる電導層をパターニングして形成することができる。
【００２４】
第１パターン構造１１０は、第１接地パターン１１１を含む。第１パターン構造１１０はプレート形状を有することができる。プレート形状の外形は、多様な形状を有することができる。
例えば、第１パターン構造１１０は、第１長辺、これに対向する第２長辺、及び第１長辺と第２長辺を連結する２つの短辺からなるプレート形状を有し、２つの長辺のうち、一長辺には、段切り部分、傾斜部分、及び段切り部分と傾斜部分とを連結する直線部分を含む。段切り部分は印刷回路基板１００を採用する液晶表示装置の構成部品が配置される空間を提供することができる。
これと異なり、第１パターン構造１１０は、第１長辺が傾斜部分及び傾斜部分の両端部からそれぞれ延長された２つの直線部分を含む形状に形成することもできる。
【００２５】
第１接地パターン１１１は、第１パターン構造１１０の周縁部分を除いた全面に形成することができる。例えば、第１パターン構造の一長辺が段切り部分、傾斜部分、及び直線部分を含む場合、第１接地パターン１１１は２つの長辺間の間隔のうちの最小間隔に対応する幅を有する長方形形状に形成することができる。
【００２６】
第２パターン構造１２０は第１パターン構造１１０下方（図２において、以下同様）に形成配置され、第１配線パターン１２３及び第２接地パターン１２１を含む。
第２パターン構造１２０は、第１パターン構造１１０と実質的に同じであるか、近似した形状を有するので、これに対する具体的な説明は省略する。
【００２７】
第１配線パターン１２３は第１接地パターン１１１の下方に配置され、第１差動信号を伝送する。例えば、第１配線パターン１２３は、外部グラフィック装置（図示せず）から第１差動信号の提供を受けてこれを印刷回路基板１００の制御部（図示せず）に提供する。第１配線パターン１２３は、多様に延長することができる。例えば、第１配線パターン１２３は、第１方向に延長された第１部分と第１部分の端部から第１方向と異なる第２方向に延長された第２部分を含む形状に形成することができる。
【００２８】
第２接地パターン１２１は、第１配線パターン１２３と電気的に絶縁される。例えば、第２パターン構造の一長辺が段切り部分、傾斜部分、及び直線部分を含む場合、第２接地パターン１２１は、一長辺と対向する他の長辺と第１配線パターン１２３との間に隣接するように配置することができ、第１配線パターン１２３は第２接地パターン１２１と離隔して配置される。
【００２９】
第３パターン構造１３０は第２パターン構造１２０下方に形成配置され、第３接地パターン１３１及び第２配線パターン１３３を含む。
第３パターン構造１３０は、第１パターン構造１１０と実質的に同じであるか、近似した形状を有するので、これに対する具体的な説明は省略する。
【００３０】
第３接地パターン１３１は、第１配線パターン１２３の下方に配置される。第２配線パターン１３３は第３接地パターン１３１と電気的に絶縁され、印刷回路基板が組み立てられた状態では、第２接地パターン１２１の下方に配置され、第２差動信号を伝送する。
例えば、第２配線パターンは、印刷回路基板１００の制御部（図示せず）から第２差動信号の提供を受けて、これを液晶表示装置の表示パネル（図示せず）に提供する。第２配線パターン１３３は、多様な形状に形成することができる。例えば、第２配線パターン１３３は、第１方向に長く延長するように形成することができる。第２配線パターン１３３は、第１配線パターン１２３と重ならないことが好ましい。
【００３１】
第４パターン構造１４０は第３パターン構造１３０下方に形成配置され、第４接地パターン１４１及び第３配線パターン１４３を含む。
第４パターン構造１４０は、第１パターン構造１１０と実質的に同じであるか、近似した形状を有するので、これについての具体的な説明は省略する。
【００３２】
第４接地パターン１４１は、印刷回路基板が組み立てられた状態では、第２配線パターン１３３の下方に配置される。第３配線パターン１４３は、第２配線パターン１３３と重ならないように形成することが好ましい。
例えば、第２配線パターン１３３が第３配線パターン１４３と第４接地パターン１４１との間の領域上に配置されるように、第３配線パターン１４３は第４接地パターン１４１と離隔するように形成することができ、また、第３配線パターン１４３は、第４接地パターン１４１と電気的に絶縁される。
また、第３配線パターン１４３は、第２パターン構造１２０の第２接地パターン１２１及び第１パターン構造１１０の第１接地パターン１１１と重なるようにするのが好ましい。
【００３３】
図３を参照すると、印刷回路基板１００は、第１絶縁層１５０、第２絶縁層１６０、及び第３絶縁層１７０を更に含むことができる。
第１〜第３絶縁層１５０、１６０、１７０の形状は、第１パターン構造１１０の形状と実質的に同じであるか、近似していることが好ましい。
第１絶縁層１５０は、第１パターン構造１１０と第２パターン構造１２０との間に配置され第１パターン構造１１０と第２パターン構造１２０を互いに電気的に絶縁させる。
第２絶縁層１６０は、第２パターン構造１２０と第３パターン構造１３０との間に配置され、第２パターン構造１２０と第３パターン構造１３０を互いに電気的に絶縁させる。
第３絶縁層１７０は、第３パターン構造１３０と第４パターン構造１４０との間に配置され、第３パターン構造１３０と第４パターン構造１４０を互いに電気的に絶縁させる。
【００３４】
印刷回路基板１００は、第１配線パターン１２３及び第２配線パターン１３３と電気的に接続される制御部１８０を更に含むことができる。制御部１８０は、第１配線パターン１２３を通じて伝送された第１差動信号を受信し、第２配線パターン１３３に第２差動信号を供給する。又、印刷回路基板１００は、制御部１８０によって制御されガンマ基準電圧を生成するガンマ電圧発生部１９０を更に含むことができる。
【００３５】
本発明の一実施形態として、印刷回路基板１００は、外部グラフィック装置から原始画像信号（ｏｒｉｇｉｎａｌ  ｉｍａｇｅ  ｓｉｇｎａｌ）の提供を受けて表示パネルに画像信号及び制御信号を供給する。
原始画像信号は、ＬＶＤＳ（Ｌｏｗ  Ｖｏｌｔａｇｅ  Ｄｉｆｆｅｒｅｎｔｉａｌ  Ｓｉｇｎａｌｉｎｇ）方式で印刷回路基板に差動的に印加される。
原始画像信号の差動信号形態である第１差動信号は、第１配線パターン１２３を通じて制御部１８０に伝送される。制御部１８０は、第１差動信号を処理して画像信号を生成し、又、表示パネルを制御する制御信号を生成する。
【００３６】
画像信号及び制御信号はＲＳＤＳ（Ｒｅｄｕｃｅｄ  Ｓｗｉｎｇ  Ｄｉｆｆｅｒｅｎｔｉａｌ  Ｓｉｇｎａｌｉｎｇ）方式で表示パネルに差動的に印加される。このため、制御部１８０は、画像信号及び制御信号の差動信号形態である第２差動信号を第２配線パターン１３３に供給し、第２差動信号は第２配線パターン１３３を経て表示パネルに供給される。印刷回路基板１００が外部グラフィック装置からＬＶＤＳ方式で第１差動信号の提供を受け、ＲＳＤＳ方式で表示パネルに第２差動信号を供給する場合、第１差動信号の周波数と第２差動信号の周波数は同じである。
【００３７】
本発明の他の実施形態において、印刷回路基板１００は、外部グラフィック装置からＬＶＤＳ方式で第１差動信号を受信し、ｍｉｎ−ＬＶＤＳ方式で第２差動信号を表示パネルに供給することもできる。印刷回路基板が外部グラフィック装置からＬＶＤＳ方式で第１差動信号の提供を受け、ｍｉｎｉ−ＬＶＤＳ方式で表示パネルに第２差動信号を供給する場合、第１差動信号の周波数と第２差動信号の周波数は互いに異なる。
【００３８】
ガンマ電圧発生部１９０は、制御部１８０の制御信号に応答してガンマ電圧を生成する。ガンマ電圧発生部１９０によって生成されたガンマ電圧は第３配線パターン１４３を通じて表示パネルに伝送される。
【００３９】
第２配線パターン１３３と第３配線パターン１４３とが重なる場合、これら配線パターン（１３３、１４３）を通じて伝送される信号によって電磁波の相互干渉が発生することがありうるので、第２配線パターン１３３と第３配線パターン１４３とが重なる面積は最小化されることが好ましい。一例として、第２配線パターン１３３と第３配線パターン１４３は、平面上から見る時、相互離隔するように形成することが好ましい。又、第２配線パターン１３３と第３配線パターン１４３の重なる面積を最小化するために、第２配線パターン１３３は一方向に延長されるように形成することが好ましい。
【００４０】
本発明の一実施形態による印刷回路基板１００では、第１配線パターン１２３と第２配線パターン１３３を異なる層に形成した後、第１及び第２配線パターン１２３、１３３の上方及び下方に接地パターンを形成して第１配線パターン１２３と第２配線パターン１３３間の電磁波干渉を防止した。
又、第２配線パターン１３３と第３配線パターン１４３を重ならないようにして第２配線パターン１３３と第３配線パターン１４３との間の電磁波干渉を防止し、第１及び第２配線パターン１２３、１３３を最外郭層ではない内部層に形成し、第１及び第２配線パターン１２３、１３３から発生する電磁波が他の構成要素に影響を及ぼすことを最小化した。従って、本発明の一実施形態による印刷回路基板１００はノイズを減少させることができる。
【００４１】
図５は、本発明の一実施形態による表示装置の斜視図である。
図６は、図５に示した表示装置のブロック図である。
図５及び図６に示した印刷回路基板は、図２〜図４を参照して説明した印刷回路基板と実質的に同じ構成を有する。従って、反復的な説明は省略する。
【００４２】
図５及び図６を参照すると、本発明の一実施形態による表示装置５００は、表示パネル５１０及び印刷回路基板５２０を含む。
【００４３】
表示パネル５１０は、薄膜トランジスタ基板５１１、カラーフィルタ基板５１３、及び液晶層５１５を含む。
薄膜トランジスタ基板５１１は、複数のゲートライン（Ｇ１、…、Ｇｎ）及びゲートラインと絶縁されて交差する複数のデータライン（Ｄ１、…、Ｄｍ）を含む。又、薄膜トランジスタ基板５１１は、画像を表示するための複数の画素を含む。各画素にはスイッチング素子ＴＦＴ及び画素電極（図示せず）が形成されている。
【００４４】
カラーフィルタ基板５１３は、カラーフィルタ層（図示せず）及びカラーフィルタ層上に形成された共通電極（図示せず）を含む。
【００４５】
液晶層５１５は、薄膜トランジスタ基板５１１とカラーフィルタ基板５１３との間に配置され、液晶層５１５の液晶分子は、画素電極と共通電極との間に発生した電界によってその配列が変更され、このような液晶分子の配列変化によって液晶層５１５を通過する光量が調節される。
【００４６】
表示装置５００は、制御部５２１によって制御されゲートライン（Ｇ１、…、Ｇｎ）にゲート駆動信号を印加するゲートドライバー５４０及びデータライン（Ｄ１、…、Ｄｍ）に画像データ信号を印加するデータドライバー５３０を更に含むことができる。
【００４７】
データドライバー５３０は、制御部５２１及びガンマ電圧生成部５２３の出力に応答してデータライン（Ｄ１、…、Ｄｍ）に画像データ信号を出力する。データライン（Ｄ１、…Ｄｍ）に出力された画像データ信号は、ゲートライン（Ｇ１、…、Ｇｎ）にゲート信号が印加されスイッチング素子ＴＦＴがターンオンされる時、スイッチング素子ＴＦＴを通じて画素電極に印加される。
【００４８】
図７〜図１１は、本発明の一実施形態による印刷回路基板の製造方法を説明するための概略断面図である。
【００４９】
図７を参照すると、第１絶縁基板２５０の下面上に第１パターン構造２１０を形成し、下面と対向する第１絶縁基板２５０の上面上に第２パターン構造２２０を形成する。第１パターン構造２１０は第１接地パターン２１１を含み、第２パターン構造２２０は第１配線パターン２２３及び第２接地パターン２２１を含む。
第１配線パターン２２３は、第１接地パターン２１１と重なるように形成する。第２接地パターン２２１は、第１配線パターン２２３と電気的に絶縁されるように形成する。第１絶縁基板２５０は、第１パターン構造２１０と第２パターン構造２２０を電気的に絶縁させる。
【００５０】
図８を参照すると、第２パターン構造２２０上に第２絶縁基板２６０を配置する。
【００５１】
図９を参照すると、第２絶縁基板２６０上に第３パターン構造２３０を形成する。第３パターン構造２３０は、第２配線パターン２３３及び第３接地パターン２３１を含む。第２配線パターン２３３は、第２接地パターン２２１と重なるように形成する。第３接地パターン２３１は、第２配線パターン２３３と電気的に絶縁されるように形成し、又、第１配線パターン２２３と重なるように形成される。第２絶縁基板２６０は、第２パターン構造２２０と第３パターン構造２３０を互いに電気的に絶縁させる。
【００５２】
図１０を参照すると、第３パターン構造２３０上に第３絶縁基板２７０を配置する。
【００５３】
図１１を参照すると、第３絶縁基板２７０上に第４パターン構造２４０を形成する。第４パターン構造２４０は、第４接地パターン２４１を含む。第４接地パターン２４１は、第２配線パターン２３３と重なるように形成する。第３絶縁基板２７０は、第３パターン構造２３０と第４パターン構造２４０を互いに電気的に絶縁させる。
【００５４】
その後、第１配線パターン２２３及び第２配線パターン２３３に接続された制御部（図示せず）を更に形成することができる。外部グラフィック装置から印加された原始画像信号は第１配線パターン２２３を通じて制御部に伝送され、制御部は原始画像信号に基づいて画像信号及び制御信号を生成する。制御部によって生成された画像信号及び制御信号は第２配線パターン２３３を通じて表示パネルに印加される。
【００５５】
第４パターン構造２４０を形成する場合、第４接地パターン２４１と絶縁される第３配線パターン２４３を更に形成することができる。又、第３配線パターン２４３と接続されるガンマ電圧発生部を更に形成することができる。ガンマ電圧発生部（図示せず）は、制御部によって制御されガンマ電圧を生成し、ガンマ電圧発生部によって生成されたガンマ電圧は第３配線パターン２４３を通じて外部表示パネルに印加される。
【００５６】
第３配線パターン２４３は平面上で見る時、第２配線パターン２３３と離隔するように形成することが好ましい。第３配線パターン２４３及び第２配線パターン２３３を通じて伝送される信号によって発生する電磁波の相互干渉を防止するためである。
【００５７】
図１２〜図１５は、本発明の他の実施形態による印刷回路基板の製造方法を説明するための概略断面図である。
【００５８】
図１２を参照すると、第１絶縁基板３５０の下面上に第１パターン構造３１０を形成し、第１絶縁基板３５０の上面上に第２パターン構造３２０を形成する。第１パターン構造３１０は、第１接地パターン３１１を含む。第２パターン構造３２０は、第１配線パターン３２３及び第２接地パターン３２１を含む。第１配線パターン３２３は、第１接地パターン３１１と重なるように形成配置され、第２接地パターン３２１は第１配線パターン３２３と離隔され、電気的に絶縁されるように形成配置される。
【００５９】
図１３を参照すると、第２絶縁基板３６０上に第２配線パターン３３３及び第３接地パターン３３１を含む第３パターン構造３３０を形成する。
【００６０】
図１４を参照すると、第３絶縁基板３７０上に第４接地パターン３４１を含む第４パターン構造３４０を形成する。
第４パターン構造３４０は、第３配線パターン３４３をさらに含んでもよい。
【００６１】
図１５を参照すると、第２絶縁基板３６０を挟んで第２配線パターン３３３が第２接地パターン３２１と重なり、第３接地パターン３３１が第１配線パターン３２３と重なるように第３パターン構造３３０を含む第２絶縁基板３６０を第１絶縁基板３５０上の第２パターン構造３２０上に配置する。
【００６２】
その後、第３絶縁基板３７０を挟んで第４接地パターン３４１が第２配線パターン３３３と重なるように第４パターン構造３４０を含む第３絶縁基板３７０を第２絶縁基板３６０上の第３パターン構造３３０上に配置する。
【００６３】
尚、本発明は、上述の実施形態に限られるものではない。本発明の技術的範囲から逸脱しない範囲内で多様に変更実施することが可能である。
【図面の簡単な説明】
【００６４】
【図１】従来技術による比較例としての印刷回路基板の分解斜視図である。
【図２】本発明の一実施形態による印刷回路基板の分解斜視図である。
【図３】図２のＩ−Ｉ’線に沿って切断した断面図である。
【図４】本発明の一実施形態による印刷回路基板のブロック図である。
【図５】本発明の一実施形態による表示装置の斜視図である。
【図６】図５に示した表示装置のブロック図である。
【図７】本発明の一実施形態による印刷回路基板の製造方法を説明するための概略断面図である。
【図８】本発明の一実施形態による印刷回路基板の製造方法を説明するための概略断面図である。
【図９】本発明の一実施形態による印刷回路基板の製造方法を説明するための概略断面図である。
【図１０】本発明の一実施形態による印刷回路基板の製造方法を説明するための概略断面図である。
【図１１】本発明の一実施形態による印刷回路基板の製造方法を説明するための概略断面図である。
【図１２】本発明の他の実施形態による印刷回路基板の製造方法を説明するための概略断面図である。
【図１３】本発明の他の実施形態による印刷回路基板の製造方法を説明するための概略断面図である。
【図１４】本発明の他の実施形態による印刷回路基板の製造方法を説明するための概略断面図である。
【図１５】本発明の他の実施形態による印刷回路基板の製造方法を説明するための概略断面図である。
【符号の説明】
【００６５】
１００、５２０    印刷回路基板
１１０、２１０、３１０    第１パターン構造
１１１、２１１、３１１    第１接地パターン
１２０、２２０、３２０    第２パターン構造
１２１、２２１、３２１    第２接地パターン
１２３、２２３、３２３    第１配線パターン
１３０、２３０、３３０    第３パターン構造
１３１、２３１、３３１    第３接地パターン
１３３、２３３、３３３    第２配線パターン
１４０、２４０、３４０    第４パターン構造
１４１、２４１、３４１    第４接地パターン
１４３、２４３、３４３    第３配線パターン
１５０      第１絶縁層
１６０      第２絶縁層
１７０      第３絶縁層
１８０、５２１    制御部
１９０、５２３    ガンマ電圧発生部
２５０、３５０    第１絶縁基板
２６０、３６０    第２絶縁基板
２７０、３７０    第３絶縁基板
５００      表示装置
５１０      表示パネル
５１１      薄膜トランジスタ基板
５１３      カラーフィルタ基板
５１５      液晶層
５３０      データドライバー
５４０      ゲートドライバー
【図１】
0005514419.tif 000002
【図２】
0005514419.tif 000003
【図３】
0005514419.tif 000004
【図４】
0005514419.tif 000005
【図５】
0005514419.tif 000006
【図６】
0005514419.tif 000007
【図７】
0005514419.tif 000008
【図８】
0005514419.tif 000009
【図９】
0005514419.tif 000010
【図１０】
0005514419.tif 000011
【図１１】
0005514419.tif 000012
【図１２】
0005514419.tif 000013
【図１３】
0005514419.tif 000014
【図１４】
0005514419.tif 000015
【図１５】
0005514419.tif 000016